(57)【要約】【課題】光学的な特性は保ちつつ、ターンテーブルが破損した場合においても周囲に飛び散らない対策を提供するものである。【解決手段】本発明では、ターンテーブルが、少なくともガラス基材と、プラスチックシートと、ガラス基材とプラスチックシートを接着するための接着層と、を有している。ここで、プラスチックシートの複屈折は２００ｎｍ以下であることが望ましい。また、ＤＶＤやＣＤとの互換性を考慮して、光情報記録媒体（薄型フレキシブル光ディスク）の厚さが０．１ｍｍであった場合に、ターンテーブルと光情報記録媒体を併せた厚さが、０．６ｍｍとなるように、ガラス基材とプラスチックシートと接着層の厚さが規定される。例えば、ガラス基材の厚さは０．４ｍｍ、プラスチックシートの厚さは０．０８ｍｍ、接着層の厚さは０．０２ｍｍである。【選択図】図１
2008287821.tif 000002
【特許請求の範囲】
【請求項１】
光情報記録媒体をターンテーブルに載置して、ピックアップからの光がターンテーブルを透過して前記光情報記録媒体に情報の記録または再生を行なう光記録再生装置であって、
前記ターンテーブルは、少なくともガラス基材と、プラスチックシートと、前記ガラス基材と前記プラスチックシートを接着するための接着層と、を備えることを特徴とする光情報記録再生装置。
【請求項２】
前記プラスチックシートの複屈折が２００ｎｍ以下であることを特徴とする請求項１に記載の光情報記録再生装置。
【請求項３】
前記光情報記録媒体の厚さが０．１ｍｍであり、
前記ターンテーブルと前記光情報記録媒体を併せた厚さが、０．６ｍｍとなるように、前記ガラス基材と前記プラスチックシートと前記接着層の厚さが規定されることを特徴とする請求項１又は２に記載の光情報記録再生装置。
【請求項４】
前記プラスチックシートは、ポリエチレン、ポリプロピレン、ポリ塩化ビニル、ポリ塩化ビニリデン、ポリスチレン、ポリ酢酸ビニル、アクリロニトリルブタジエンスチレン樹脂、AS樹脂、フッ素樹脂、ポリメチルメタアクリレート、ポリアミド、ポリアセタール、ポリカーボネート、変性ポリフェニレンエーテル、ポリブチレンテレフタレート、ポリエチレンテレフタレート、環状ポリオレフィン、シクロオレフィン、及び脂環式アクリル樹脂の何れかで構成されていることを特徴とする請求項１乃至３の何れかに記載の光情報記録再生装置。
【請求項５】
前記ターンテーブルは、その内周部に空気流入のための貫通穴を備えることを特徴とする請求項１乃至４の何れか１項に記載の光情報記録再生装置。
【請求項６】
光情報記録媒体をターンテーブルに載置して、ピックアップからの光がターンテーブルを透過して前記光情報記録媒体に情報の記録または再生を行なう光記録再生装置であって、
前記ターンテーブルは、ガラス基材と、前記光情報記録媒体の記録エリアに相当する部分よりも内側の内周部に接着層を介して貼り付けられた保護シートと、を備え、
前記保護シートは、ガラス機材よりも弾性係数の高い部材で構成されていることを特徴とする光情報記録再生装置。
【請求項７】
前記ターンテーブルは、前記内周部に空気流入のための複数の貫通穴を有し、
前記保護シートは、前記複数の貫通孔の間に接着されていることを特徴とする請求項６に記載の光情報記録再生装置。
【請求項８】
光情報記録再生装置において、光情報記録媒体を載置し、ピックアップからの光を透過させて情報の記録及び／又は再生を行なうためのターンテーブルであって、
少なくともガラス基材と、プラスチックシートと、前記ガラス基材と前記プラスチックシートを接着するための接着層と、を備えることを特徴とするターンテーブル。
【請求項９】
前記プラスチックシートの複屈折が２００ｎｍ以下であることを特徴とする請求項８に記載のターンテーブル。
【請求項１０】
前記プラスチックシートは、ポリエチレン、ポリプロピレン、ポリ塩化ビニル、ポリ塩化ビニリデン、ポリスチレン、ポリ酢酸ビニル、アクリロニトリルブタジエンスチレン樹脂、AS樹脂、フッ素樹脂、ポリメチルメタアクリレート、ポリアミド、ポリアセタール、ポリカーボネート、変性ポリフェニレンエーテル、ポリブチレンテレフタレート、ポリエチレンテレフタレート、環状ポリオレフィン、シクロオレフィン、及び脂環式アクリル樹脂の何れかで構成されていることを特徴とする請求項８又は９に記載のターンテーブル。
【請求項１１】
光情報記録再生装置において、光情報記録媒体を載置し、ピックアップからの光を透過させて情報の記録及び／又は再生を行なうためのターンテーブルであって、
前記ターンテーブルは、ガラス基材と、前記光情報記録媒体の記録エリアに相当する部分よりも内側の内周部に接着層を介して貼り付けられた保護シートと、を備え、
前記保護シートは、可塑性を有する部材で構成されていることを特徴とするターンテーブル。
【請求項１２】
前記ターンテーブルは、前記内周部に空気流入のための複数の貫通穴を有し、
前記保護シートを構成する前記可塑性を有する部材は、前記複数の貫通孔の間に接着されていることを特徴とする請求項１１に記載のターンテーブル。
【発明の詳細な説明】
【技術分野】
【０００１】
本発明は、光情報記録再生装置、及びそれに用いるターンテーブルに関する。
【背景技術】
【０００２】
近年、情報化社会が進み膨大な情報を記憶するための外部記憶装置の記録密度の向上が著しい。光ディスクの分野でも高密度化の要望に応えるために、レーザの短波長化及び対物レンズの高開口数化により光スポットサイズを小さくする方法や、記録層の透過率を上げることによる多層化の方法等の研究が盛んに行われている。しかしながら、現状では、光スポット径の微小化や記録層の多層化により大容量化を図る方法は物理的限界に近い状況にあることから、光ディスク基板の厚みを薄くして体積当たりの容量（体積記録密度）を増やすことが注目されている。
【０００３】
ところが、ディスクの厚さが薄いために、ディスクのみを安定に回転させることは困難である。そこで、例えば、特許文献１に記載されているように、安定して回転するターンテーブル上に光ディスクを載置して光ディスクとターンテーブルを一緒に回転させることにより、光ディスクを安定して回転させる方法がある。
【０００４】
【特許文献１】特開２００６−１６４４８９号公報
【発明の開示】
【発明が解決しようとする課題】
【０００５】
しかしながら、特許文献１に開示の、ターンテーブル越しに光を入射して記録再生するタイプの光記録再生装置においては、ターンテーブルはガラスのような高剛性と光透過性を兼ね備えた部材で構成する必要がある。ガラスでターンテーブルを構成した場合、回転中に破損すると、その破片が周辺に飛び散り、光へッドや、光記録媒体などを傷つけてしまう危険性がある。
【０００６】
本発明はこのような状況に鑑みてなされたものであり、光学的な特性は保ちつつ、ターンテーブルが破損した場合においても周囲に飛び散らない対策を提供するものである。
【課題を解決するための手段】
【０００７】
上記課題を解決するために、本発明では、ターンテーブルが、少なくともガラス基材と、プラスチックシートと、ガラス基材とプラスチックシートを接着するための接着層と、を有している。ここで、プラスチックシートの複屈折は２００ｎｍ以下であることが望ましい。また、ＤＶＤやＣＤとの互換性を考慮して、光情報記録媒体（薄型フレキシブル光ディスク）の厚さが０．１ｍｍであった場合に、ターンテーブルと光情報記録媒体を併せた厚さが、０．６ｍｍとなるように、ガラス基材とプラスチックシートと接着層の厚さが規定される。例えば、ガラス基材の厚さは０．４ｍｍ、プラスチックシートの厚さは０．０８ｍｍ、接着層の厚さは０．０２ｍｍである。
【０００８】
なお、プラスチックシートは、ポリエチレン、ポリプロピレン、ポリ塩化ビニル、ポリ塩化ビニリデン、ポリスチレン、ポリ酢酸ビニル、アクリロニトリルブタジエンスチレン樹脂、AS樹脂、フッ素樹脂、ポリメチルメタアクリレート、ポリアミド、ポリアセタール、ポリカーボネート、変性ポリフェニレンエーテル、ポリブチレンテレフタレート、ポリエチレンテレフタレート、環状ポリオレフィン、シクロオレフィン、及び脂環式アクリル樹脂の何れかで構成されるのが望ましい。これらの材質でシートを構成すれば、上述の複屈折率２００ｍｍ以下を達成するシートが実現できるからである。
【０００９】
さらなる本発明の特徴は、以下本発明を実施するための最良の形態および添付図面によって明らかになるものである。
【発明の効果】
【００１０】
本発明によれば、光学的な特性は保ちつつ、ターンテーブルが破損した場合においても周囲に飛び散らないようにすることが可能である。
【発明を実施するための最良の形態】
【００１１】
以下、添付図面を参照して本発明の実施形態について説明する。ただし、本実施形態は本発明を実現するための一例に過ぎず、本発明を限定するものではないことに注意すべきである。また、各図において共通の構成については同一の参照番号が付されている。
【００１２】
＜ターンテーブルの構成＞
ガラス単体で構成されたターンテーブルを５０００ｒｐｍで回転させた状態で、重さ１０ｇの金属球をターンテーブル上に落下させたところ、ガラス（ターンテーブル）が割れて半径２ｍの範囲でガラスの破片か飛び散ってしまった。このような事態を回避するため、本発明では、以下の構成を採用している。
【００１３】
（１）第１の実施形態
図１は、本発明の第１の実施形態によるターンテーブル１の概略構成を示す図である。図１において、ターンテーブル１は、厚さ０．４ｍｍのガラス板１０（従来のターンテーブルでも採用していた材質）と、厚さ０．０８ｍｍのプラスチックシート（例えば、ポリカーボネートシート）１１と、ガラス板１０とプラスチックシート１１とを接着する、厚さ０．０２ｍｍの接着層１２と、で構成されている。ターンテーブル１の厚さの寸法をこのようにしたのは、０．１ｍｍ（１００μｍ）厚の薄型フレキシブル光ディスク（以下、「薄型ディスク」という。）をターンテーブル１に載置した場合に、全体の厚さが０．６ｍｍになるようにするためである。よって、ターンテーブル１を用いれば、従来のＤＶＤやＣＤの記録再生装置を用いて、薄型ディスクに対して情報の記録再生を実行することができる。つまり、薄型ディスクとＤＶＤやＣＤとの互換性を担保できる。
【００１４】
そして、このような構成を備えたターンテーブル１を用いて、上述と同様の実験を行ったところ、ガラス板１０は割れたがその破片はプラスチックシート１１に貼りついたままで、飛び散ることはなかった。
【００１５】
ただし、プラスチックシート１１を接着すれば、ターンテーブル１が破損したときの危険性は回避できるが、プラスチックシート１１によって生じる複屈折が訂正不可能な信号エラーを引き起こす可能性がある。このため、プラスチックシート１１はどのようなものでも良いというわけではなく、訂正不可能な信号再生エラーを起こさない程度に複屈折の小さい材質のもので無ければならない。なお、ここで複屈折とは、光線がある種の物質を透過したときに、その偏光の状態によって、２つの光線（通常光線と異常光線）に分けられることをいう。そして、光の波長をλ、２つの光線の最大位相遅れ時の光強度信号をＩｍａｘ、最小位相遅れ時の光強度信号をＩｍｉｎとすると、複屈折は、次式で表される。
【００１６】
【数１】
2008287821.tif 000003
【００１７】
そこで、様々な複屈折を有するプラスチックシート１１をガラス板１０に接着して構成したターンテーブル１を用いて信号エラーを測定したところ、図２に示すグラフが得られた。図２は、ＥＣＣの８ブロック内の訂正不可能なエラー（parity outer error）数と複屈折の関係を示している。
【００１８】
図２に示されるように、プラスチックシート１１の複屈折の大きさが２００ｎｍ以下であれば、信号エラーを訂正できることが分かる。よって、保護シートとして採用するプラスチックシート１１の複屈折は、２００ｎｍ以下であることが望ましい。
【００１９】
２００ｎｍ以下の複屈折のシートが実現できる材質としては、上述のポリカードネートに加えて、ポリエチレン、ポリプロピレン、ポリ塩化ビニル、ポリ塩化ビニリデン、ポリスチレン、ポリ酢酸ビニル、アクリロニトリルブタジエンスチレン樹脂、AS樹脂、フッ素樹脂、ポリメチルメタアクリレート、ポリアミド、ポリアセタール、変性ポリフェニレンエーテル、ポリブチレンテレフタレート、ポリエチレンテレフタレート、環状ポリオレフィン、シクロオレフィン、脂環式アクリル樹脂等が考えられる。
なお、ターンテーブル１は、後述の第３の実施形態のように、内周部に空気流入用の貫通孔を有しても良い。
【００２０】
（２）第２の実施形態
図３は、本発明の第２の実施形態によるターンテーブル２の概略構成を示す図である。図３において、ターンテーブル２は、従来のターンテーブルでも採用していた材質からなり、厚さ０．４ｍｍのガラス板１０と、ガラス板１０の両面に貼られた厚さ０．０４ｍｍのプラスチックシート（例えば、ポリカーボネートシート）１１と、ガラス板１０とプラスチックシート１１とを接着する、それぞれ厚さ０．０１ｍｍの接着層１２と、で構成されている。ここでも、薄型ディスクとＤＶＤやＣＤとの互換性を担保するため、ターンテーブル２の厚さと薄型ディスクの厚さを合わせると、０．６ｍｍとなっている。
そして、このような構成を備えたターンテーブル２を用いて、上述と同様の実験を行ったところ、ガラス板１０は割れたがその破片はプラスチックシート１１に貼りついたままで、飛び散ることはなかった。
なお、第２の実施形態で貼り付けられるプラスチックシート１１の複屈折も、２００ｎｍ以下であることが望ましい。
【００２１】
（３）第３の実施形態
図４は、本発明の第３実施形態によるターンテーブル３の概略構成を示す図である。図４において、ターンテーブル３は、従来のターンテーブルでも採用していた材質からなり、厚さ０．５ｍｍのガラス板１０であって、内周部に空気流入用穴１４を有するガラス板１０と、ガラス板１０の内周部のみに貼られた厚さ０．１ｍｍの保護シート（例えばポリカーボネートシート等のプラスチックシート、空気流入用穴１４を塞ぐものではない）１３と、ガラス板１０と保護シート１３とを接着する接着層１２と、で構成されている。なお、内周部に設けられた空気流入穴１４はターンテーブルの構成として必須のものではない。
【００２２】
ターンテーブルは、内周部の強度に問題がある。空気流入穴１４が内周部に設けられたターンテーブルは更に内周部の強度が弱い。つまり、ターンテーブル内周部は、回転時に光情報記録再生装置のスピンドル（図５の２３）との間で摩擦力や応力が作用し、外周部よりも強度が弱くなっているのである。従って、ターンテーブルは内周部において破損しやすいので、内周部を補強するために、保護シート１３を設けていている。なお、第３の実施形態では、薄型ディスクの記録領域に対応する、ターンテーブル部分には保護シートが貼られていないので、保護シート１３の複屈折率によるノイズ発生を気にする必要はない。よって、保護シート１３の材質には特に制限がなく、プラスチックシートの他、紙や布などガラスよりも剛性の弱い、或いはガラスより弾性係数の高いものを用いると良い。また、図４では、ターンテーブル内周部の両面に保護シート１３が貼り付けられているが、片面でもよい。片面の場合には、スピンドルとの摩擦を考慮すると、裏面（図４のＡ側）に設けるのが良い。一方、表面（図４のＢ側）に保護シート１３を貼れば、ターンテーブル上に載置するスペーサー（図５における２２）を省略することも可能である。
【００２３】
このような構成を備えるターンテーブル３をスピンドルに固定した状態で外周部に圧力を加えていったところ、内周部のスピンドルに固定した部分としていない部分の境目が割れた。可塑性を有する部材をターンテーブル内周に接着した場合は割れ目から破片が散乱することは無かったが、ガラス基板のみの場合は破片が落下した。
【００２４】
また、内周部に空気流入のための穴を有するターンテーブルをスピンドルに固定した状態で外周部に圧力を加えていったところ、空気流入用の穴と穴の間に亀裂が入り、割れた。可塑性を有する部材を空気流入用の穴と穴の間に接着した場合は割れ目から破片が散乱することは無かったが、ガラス基板のみの場合は破片が落下した。
【００２５】
＜光情報記録再生装置の構成及び動作＞
図５は、本発明の実施形態による光情報記録再生装置４の概略構成を示す図である。図５において、光情報記録再生装置４は、図１、２及び３で示されたターンテーブル１乃至３の何れかと、スペーサー２２（薄型ディスクにスペーサー部が設けられている場合、或いはターンテーブル３を用いた場合には不要）と、ターンテーブル及び載置された薄型ディスクを回転させるためのスピンドル２３と、チャッキングを安定させるためのクランプ２４と、光ピックアップ２５と、を備える。また、光情報記録再生装置４は、記録／再生信号の入出力をするためのインターフェース部３１と、記録するための信号を符号化し、かつ、光ピックアップによって読み取られた再生信号を復号する信号処理部３２と、フォーカス／トラッキングサーボ信号を生成するフォーカス／トラッキングサーボ回路３４と、フォーカス／トラッキングサーボ回路からのサーボ信号に応じて光ピックアップを作動させる光ヘッドアクセス機構３５と、スピンドル２３の回転速度を制御するための回転制御回路３３とを備えている。
【００２６】
以上のような構成を備える光情報記録再生装置４において、薄型ディスクを、スペーサー２２を介して配置する。スピンドル２３によって回転が始まると、スペーサー２２によってできた空間を起点として、薄型ディスクとターンテーブルに挟まれた空間の空気が遠心力により内周から外周へと定常的に移動する。これにより局所的なエア噛み現象が全面的に取り除かれる。スペーサーによってできる薄型ディスクとターンテーブルとの間隔は、通常０．０１〜０．５ｍｍであることが望ましい。
【図面の簡単な説明】
【００２７】
【図１】本発明の第１の実施形態によるターンテーブルの概略構成を示した図である。
【図２】訂正不可能なエラー（parity outer error）数と複屈折の関係を示す図である。
【図３】本発明の第２の実施形態によるターンテーブルの概略構成を示した図である。
【図４】本発明の第３の実施形態によるターンテーブルの概略構成を示した図である。
【図５】本発明の光情報記録再生装置の概略構成を示す図である。
【符号の説明】
【００２８】
１〜３  ターンテーブル
４      光情報記録再生装置
１０    ガラス板
１１    プラスチックシート
１２    接着層
１３    保護シート
１４    貫通孔（空気流入穴）
【図１】
2008287821.tif 000004
【図２】
2008287821.tif 000005
【図３】
2008287821.tif 000006
【図４】
2008287821.tif 000007
【図５】
2008287821.tif 000008
【手続補正書】
【提出日】平成19年5月18日(2007.5.18)
【手続補正１】
【補正対象書類名】特許請求の範囲
【補正対象項目名】全文
【補正方法】変更
【補正の内容】
【特許請求の範囲】
【請求項１】
光情報記録媒体をターンテーブルに載置して、ピックアップからの光がターンテーブルを透過して前記光情報記録媒体に情報の記録または再生を行なう光記録再生装置であって、
前記ターンテーブルは、少なくともガラス基材と、プラスチックシートと、前記ガラス基材と前記プラスチックシートを接着するための接着層と、を備えることを特徴とする光情報記録再生装置。
【請求項２】
前記プラスチックシートの複屈折が２００ｎｍ以下であることを特徴とする請求項１に記載の光情報記録再生装置。
【請求項３】
前記光情報記録媒体の厚さが０．１ｍｍであり、
前記ターンテーブルと前記光情報記録媒体を併せた厚さが、０．６ｍｍとなるように、前記ガラス基材と前記プラスチックシートと前記接着層の厚さが規定されることを特徴とする請求項１又は２に記載の光情報記録再生装置。
【請求項４】
前記プラスチックシートは、ポリエチレン、ポリプロピレン、ポリ塩化ビニル、ポリ塩化ビニリデン、ポリスチレン、ポリ酢酸ビニル、アクリロニトリルブタジエンスチレン樹脂、AS樹脂、フッ素樹脂、ポリメチルメタアクリレート、ポリアミド、ポリアセタール、ポリカーボネート、変性ポリフェニレンエーテル、ポリブチレンテレフタレート、ポリエチレンテレフタレート、環状ポリオレフィン、シクロオレフィン、及び脂環式アクリル樹脂の何れかで構成されていることを特徴とする請求項１乃至３の何れかに記載の光情報記録再生装置。
【請求項５】
前記ターンテーブルは、その内周部に空気流入のための貫通穴を備えることを特徴とする請求項１乃至４の何れか１項に記載の光情報記録再生装置。
【請求項６】
光情報記録媒体をターンテーブルに載置して、ピックアップからの光がターンテーブルを透過して前記光情報記録媒体に情報の記録または再生を行なう光記録再生装置であって、
前記ターンテーブルは、ガラス基材と、前記光情報記録媒体の記録エリアに相当する部分よりも内側の内周部に接着層を介して貼り付けられた保護シートと、を備え、
前記保護シートは、ガラス基材よりも弾性係数の高い部材で構成されていることを特徴とする光情報記録再生装置。
【請求項７】
前記ターンテーブルは、前記内周部に空気流入のための複数の貫通穴を有し、
前記保護シートは、前記複数の貫通孔の間に接着されていることを特徴とする請求項６に記載の光情報記録再生装置。
【請求項８】
光情報記録再生装置において、光情報記録媒体を載置し、ピックアップからの光を透過させて情報の記録及び／又は再生を行なうためのターンテーブルであって、
少なくともガラス基材と、プラスチックシートと、前記ガラス基材と前記プラスチックシートを接着するための接着層と、を備えることを特徴とするターンテーブル。
【請求項９】
前記プラスチックシートの複屈折が２００ｎｍ以下であることを特徴とする請求項８に記載のターンテーブル。
【請求項１０】
前記プラスチックシートは、ポリエチレン、ポリプロピレン、ポリ塩化ビニル、ポリ塩化ビニリデン、ポリスチレン、ポリ酢酸ビニル、アクリロニトリルブタジエンスチレン樹脂、AS樹脂、フッ素樹脂、ポリメチルメタアクリレート、ポリアミド、ポリアセタール、ポリカーボネート、変性ポリフェニレンエーテル、ポリブチレンテレフタレート、ポリエチレンテレフタレート、環状ポリオレフィン、シクロオレフィン、及び脂環式アクリル樹脂の何れかで構成されていることを特徴とする請求項８又は９に記載のターンテーブル。
【請求項１１】
光情報記録再生装置において、光情報記録媒体を載置し、ピックアップからの光を透過させて情報の記録及び／又は再生を行なうためのターンテーブルであって、
前記ターンテーブルは、ガラス基材と、前記光情報記録媒体の記録エリアに相当する部分よりも内側の内周部に接着層を介して貼り付けられた保護シートと、を備え、
前記保護シートは、可塑性を有する部材で構成されていることを特徴とするターンテーブル。
【請求項１２】
前記ターンテーブルは、前記内周部に空気流入のための複数の貫通穴を有し、
前記保護シートを構成する前記可塑性を有する部材は、前記複数の貫通孔の間に接着されていることを特徴とする請求項１１に記載のターンテーブル。